(57)【要約】【課題】容易に組み立てて商品を収納することができ、収納した内容物を一定量ずつ制限して取り出せるようにする。【解決手段】側板３ａ，３ｂ，４ａ，４ｂを角筒状に連設して周壁１を形成し、底面を閉止する底壁２を設け、周壁１の一面をなす側板４ａに蓋板８を連設し、周壁１の他面をなす側板３ｂに蓋受片１１を連設し、蓋受片１１に蓋板８を重ねて天面を閉止する箱において、前記蓋板８と蓋受片１１とが重なった天面の側端部を、切り取りに伴い一定量の内容物のみ通過可能な取出口２５が形成される構成とし、横倒し状態にすると、取出口２５が起立面の下端部に位置するようにする。包装時に正立状態で内容物を前後に並べて収納しておくと、横倒し状態にしたとき、積み重なった内容物を下方側から取出口２５を介し順次取り出すことができる。【選択図】図５
2011219169.tif 000002
【特許請求の範囲】
【請求項１】
側板(3a,3b,4a,4b)を角筒状に連設して周壁(1)を形成し、底面を閉止する底壁(2)を設け、周壁(1)の一面をなす側板(4a)に蓋板(8)を連設し、周壁(1)の他面をなす側板(3b)に蓋受片(11)を連設し、蓋受片(11)に蓋板(8)を重ねて天面を閉止する箱において、前記蓋板(8)と蓋受片(11)とが重なった天面の側端部を、切り取りに伴い一定量の内容物のみ通過可能な取出口(25)が形成される構成とし、横倒し状態にすると、取出口(25)が起立面の下端部に位置するようにしたことを特徴とする定量取出箱。
【請求項２】
前記天面の側端部を切り取った後も蓋受片(11)が側板(3b)に繋がった状態で揺動自在に残存し、横倒し状態で蓋受片(11)を手前に開くと、蓋受片(11)の両側から延びるストッパ片(11a)が蓋板(8)の内面に当接して、蓋受片(11)が斜めに保持されるようにしたことを特徴とする請求項１に記載の定量取出箱。
【発明の詳細な説明】
【技術分野】
【０００１】
この発明は、内容物を一定量ずつ取り出せる取出口を備えた箱に関するものである。
【背景技術】
【０００２】
例えば、下記特許文献１には、図１３に示すように、各一対の側板５３，５４を角筒状に連設して周壁５１を形成し、底面を閉止する底壁５２を設け、後面の側板５４に蓋板５５を連設し、両側面の側板５３に蓋受片５６を連設し、蓋受片５６に蓋板５５を重ねて天面を閉止する箱において、側板５３，５４に切目線５７，５８を入れ、側板５３の切目線５８を波状として、その下方に折込片５９を設けたものが記載されている。
【０００３】
この箱を使用して、袋入食品等の商品を包装する際には、積み重ねによる荷重が長期間作用することによる悪影響を避けるため、商品を前後に並べて収納しておく。
【０００４】
そして、図１４に示すように、小売店の店頭で商品Ｂを陳列する際、切目線５７，５８を切断して、その上方部分を除去し、折込片５９を内側へ折り曲げて、折込片５９の波状端縁により、商品Ｂの前倒れを防止する。
【０００５】
ところで、上記のような箱では、店頭での陳列に際し、商品をある程度の数量ずつ取り出せるようにする陳列形態に対応できないが、そのような陳列形態に対応する定量取出箱として、下記特許文献２には、図１５に示すようなものが記載されている。
【０００６】
この箱は、側板６１、一対の側板６２、底壁６３、天壁６４及び背壁６５を備え、底壁６３及び天壁６４にそれぞれ内側板６６を連設し、上下の内側板６６を側板６２の内側で噛み合わせ、側板６２の先端の貼着片を背壁６５に、背壁６５の先端の貼着片を底壁６３にそれぞれ貼り付けて保形される。
【０００７】
そして、前面及び両側面の側板６１，６２の下部に入れた切目線６１ａ，６２ａを切断すると、下端をヒンジとして揺動する開閉部６７が形成され、開閉部６７を開いて形成される取出口６８から所要量の商品を取り出せるようになっている。
【先行技術文献】
【特許文献】
【０００８】
【特許文献１】特開２００４−２９９７７３号公報
【特許文献２】実開昭５４−２１０４０号公報
【発明の概要】
【発明が解決しようとする課題】
【０００９】
しかしながら、上記特許文献２に記載されたような定量取出箱では、構成が通常のワンタッチ底の包装箱と大きく異なり、組み立てに際し、複雑な折り曲げ、噛み合わせや多数箇所の貼り付け作業が必要となるため、包装作業性に問題があった。
【００１０】
そこで、この発明は、容易に組み立てて商品を収納することができ、収納した内容物を一定量ずつ制限して取り出せるようにすることを課題とする。
【課題を解決するための手段】
【００１１】
上記課題のようなを解決するため、この発明では、側板を角筒状に連設して周壁を形成し、底面を閉止する底壁を設け、周壁の一面をなす側板に蓋板を連設し、周壁の他面をなす側板に蓋受片を連設し、蓋受片に蓋板を重ねて天面を閉止する箱において、前記蓋板と蓋受片とが重なった天面の側端部を、切り取りに伴い一定量の内容物のみ通過可能な取出口が形成される構成とし、横倒し状態にすると、取出口が起立面の下端部に位置するようにしたのである。
【００１２】
また、前記天面の側端部を切り取った後も蓋受片が側板に繋がった状態で揺動自在に残存し、横倒し状態で蓋受片を手前に開くと、蓋受片の両側から延びるストッパ片が蓋板の内面に当接して、蓋受片が斜めに保持されるようにしたのである。
【発明の効果】
【００１３】
この定量取出箱では、ブランクが通常の箱と同様の形式となっているので、容易に組み立てて内容物を収納でき、陳列に際し、天面の側端部を切り取って取出口を開口させ、横倒し状態にして、取出口を起立面の下端部に位置させることにより、内容物を下方側から取出口を介し一定量ずつ制限して順次取り出すことができる。
【００１４】
また、天面の側端部を切り取った後に残存する蓋受片がストッパ片で斜めに保持されるようにすると、内容物の形状が円筒形等の転がりやすい形状であっても、取出口が開口したとき、内容物が転がり出てしまうことがない。
【図面の簡単な説明】
【００１５】
【図１】この発明の第１実施形態に係る定量取出箱のブランクを示す図
【図２】同上の商品包装時の正立状態を示す斜視図
【図３】同上の一方の側板を開口させた状態を示す斜視図
【図４】同上のトレー状態での陳列形態を示す斜視図
【図５】同上の横倒し状態での陳列形態を示す斜視図
【図６】この発明の第２実施形態に係る定量取出箱の本体のブランクを示す図
【図７】同上の仕切のブランクを示す図
【図８】同上の組立過程を示す斜視図
【図９】同上の正立状態での商品収納過程を示す斜視図
【図１０】同上の商品包装時の横倒し状態を示す斜視図
【図１１】同上の横倒し状態での陳列形態を示す斜視図
【図１２】図１１のXII−XII線に沿った縦断側面図
【図１３】特許文献１に係る箱の商品包装時の正立状態を示す斜視図
【図１４】同上のトレー状態での陳列形態を示す斜視図
【図１５】特許文献２に係る定量取出箱の陳列形態を示す斜視図
【発明を実施するための形態】
【００１６】
以下、この発明の第１実施形態を図１乃至図５に基づいて説明する。
【００１７】
この定量取出箱は、内容物の商品としてレトルト食品の袋を包装するものであり、図１に示すような段ボールのブランクから形成される。このブランクは、周壁１となる部分及び底壁２となる部分を備えており、周壁１の部分として、側板４ａ，３ａ，４ｂ，３ｂが順次連設され、側板４ａの外側端に継代片５を有し、底壁２の部分として、側板３ａ，３ｂの下端に底板６が、側板４ａ，４ｂの下端に底板７がそれぞれ連設されている。
【００１８】
側板４ａ，４ｂの上端には、それぞれ蓋板８及び蓋受片９が連設され、側板３ａ，３ｂの上端には、それぞれ蓋受片１０，１１が連設されている。蓋板８の先端には差込片１２が連設され、蓋受片９の基端には差込スリット１３が形成されている。
【００１９】
蓋板８の一方の側端部には、先端から基端へ至り、基端に沿って外側端に至る切目線１４が入れられ、その外側は可除部１５とされている。切目線１４は、鉤状の切目が断続するジッパと、切目間に繋部を設けたミシン目とを組み合わせたものであり、中央部が半円状に内側へ湾曲している。
【００２０】
蓋受片１１の基端には、側板３ｂとの境界全長に亘って切目線１６が入れられ、切目線１６は、製箱時に切目線１４のジッパ部分と同様の方向へ向くジッパとされている。側板４ｂの上端部には、側板３ｂとの境界に沿って、２本の切目線に挟まれた押込部１７が設けられている。
【００２１】
側板３ａには、四角枠状にミシン目の切目線１８を入れて、これに囲まれた切抜部１９が形成され、切抜部１９の上辺及び下辺には、半円形状に切目線を入れて押込部２０が設けられている。
【００２２】
また、周壁１を形成する部分には、切抜部１９の両側辺を起点として横断方向の切目線２１，２２が上下に並行して入れられている。切目線２１は、側板３ａ，４ａ，４ｂの部分が直線状のジッパとされ、側板３ｂの部分が切断方向性のない波状のジッパとされている。切目線２２は、側板４ａ，４ｂの部分が商品の厚さに対応する波状のジッパとされ、その下方に折込片２３が設けられている。
【００２３】
このようなブランクを組み立てて商品を包装するには、図２に示すように、側板３ａ，３ｂ，４ａ，４ｂを折り曲げ、継代片５を側板３ｂの内面に貼り付けて、周壁１を角筒状に形成し、底板６，７を折り曲げ、対角部分で貼り合わせ、底板７同士を噛み合わせて、底壁２を形成する。
【００２４】
そして、底壁２を底にした正立状態で、箱の内部に商品Ｂを前後に並べて収納し、蓋受片９，１０，１１を折り曲げ、蓋板８を閉じて、蓋受片９，１０，１１に重ね、蓋受片１１と可除部１５とを貼り合わせると共に、差込片１２を差込スリット１３に差し込むことにより、包装状態で封緘する。
【００２５】
このように商品Ｂを包装した箱を小売店へ配送し、店頭で商品Ｂを陳列する際には、押込部２０を押し込み、その抜出穴に指を入れて切目線１８を切断し、図３に示すように、切抜部１９を切り取って窓部２４を開口させると、窓部２４を介して商品Ｂのフェイス面が見えるので、このままの状態で陳列することができる。
【００２６】
また、この状態から、切目線２１，２２を切断することにより、切目線２１，２２に挟まれた部分を切り取って、その上方部分を除去し、折込片２３を内側へ折り曲げると、図４に示すように、トレー状態となり、従来と同様、商品Ｂの上半部を露出させ、商品Ｂを上方に引き上げて自由に取り出せる状態で、陳列することができ、折込片２３の波状端縁により、商品Ｂの前倒れを防止することができる。
【００２７】
一方、箱を載置する棚の上下段の間隔が狭い場合等、商品Ｂを上方に引き上げて取り出しにくい場合には、図３に示すように、窓部２４が開口した包装状態から、図５に示すように、側板３ｂが底となるように横倒し状態にする。
【００２８】
そして、切目線１４，１６の切断に伴い、可除部１５を蓋受片１１と共に切り取って、その部分に商品Ｂが１個のみ通過可能な取出口２５を開口させる。
【００２９】
このとき、押込部１７を押し込むと、可除部１５の端部を摘むことができるので、容易に可除部１５を切り取ることができる。そして、その切り取りに伴い、切目線１４の湾曲した部分で取出口２５が拡大され、指入部２６が形成される。
【００３０】
上記のような構成の箱では、横倒し状態にして、取出口２５を起立面の下端部に位置させることにより、積み重なった商品Ｂのうち、最下方のものを指入部２６に指を入れて摘み、その商品Ｂのみを取出口２５を介して手前に引き出すように取り出すことができ、その取り出しに伴い、次に取り出す商品Ｂが取出口２５の高さに落下するので、収納された商品Ｂを一袋ずつ順次取り出すことができる。
【００３１】
また、天面となる側板３ａの窓部２４が開口しているので、一旦取り出した商品Ｂを、窓部２４を介して箱の内部に戻すことができる。
【００３２】
なお、上記実施形態では、取出口２５を形成する際、可除部１５と共に蓋受片１１を全体的に切り取るものを例示しているが、蓋受片１１の一部分のみを切り取るようにしてもよく、蓋板８又は蓋受片１１に予め開口部を設け、これらの重なり合う部分において、いずれか一方のみを切り取ることにより、取出口２５が形成されるようにしてもよい。
【００３３】
また、差込片１２を差込スリットに差し込んで封緘するタックエンドカートンを例示しているが、蓋受片９を延長し、これに蓋板８を貼り合わせて封緘するシールエンドカートンにおいても、蓋受片９に、可除部１５に対応する開口部を形成することにより、同様の機能を発揮させることができる。
【００３４】
次に、この発明の第２実施形態を図６乃至図１２に基づいて説明する。
【００３５】
この定量取出箱は、内容物の商品として集積された食品の缶を包装するものであり、図６及び図７に示すような段ボールのブランクから形成される。
【００３６】
図６に示す本体のブランクは、周壁１となる部分及び底壁２となる部分を備えており、周壁１の部分として、側板４ａ，３ａ，４ｂ，３ｂが順次連設され、側板４ａの外側端に継代片５を有し、底壁２の部分として、側板３ａ，３ｂの下端に底板６が、側板４ａ，４ｂの下端に底板７がそれぞれ連設されている。
【００３７】
側板４ａの上端には、蓋板８及び側板４ｃが順次連設され、側板３ａ，３ｂの上端には蓋受片１０，１１がそれぞれ連設されている。蓋受片１１の両側には、先端側が端縁の傾斜により大きくなったストッパ片１１ａが延設されている。側板４ｃの先端には差込片２７が、側板４ｂの下端には差込穴２８が２個ずつ設けられている。
【００３８】
蓋板８の一方の側端部には、側板４ａ，４ｃ間に亘る部分と、その両端から外側端に至る部分とを有する切目線１４が入れられ、蓋板８の切目線１４で区画された部分は可除部１５とされている。切目線１４は、鉤状の切目が断続するジッパを主体とし、中央部のミシン目部分が半円状に内側へ湾曲している。
【００３９】
側板３ａには、蓋受片１０との境界から両上角部を残して側板４ａ，４ｂとの境界沿いに延び、底板６との境界に並行する枠状の切目線１８に囲まれた切抜部１９が形成され、切目線１８は、連続切目とジッパ及びミシン目が組み合わされたものとされている。
【００４０】
切抜部１９の内部には、横方向の折目線が２本平行に入れられ、その中央部から半円状にミシン目の切目線を入れて差込片２９が設けられている。側板３ｂと底板６との境界中央部には、差込穴３０が設けられている。
【００４１】
一方、図７に示す仕切のブランクは、一対の中仕切板３１を連設し、中仕切板３１にそれぞれ内底板３２及び内側板３３を順次連設し、内底板３２の一端に折曲片３４を連設したものとされ、その連設部には、ミシン目状の折目線が入れられている。
【００４２】
内底板３２の中間部には、コ字状の切目線を入れて、押圧片３５が設けられ、一方の内底板３２には、内側板３３との境界にかけて組立時に指を掛ける指掛穴３６が上下に２個設けられている。
【００４３】
このようなブランクを組み立てて商品を包装するには、図８に示すように、本体のブランクにおいて、側板３ａ，３ｂ，４ａ，４ｂを折り曲げ、継代片５を側板３ｂの内面に貼り付けて、周壁１を角筒状に形成し、底板６，７を折り曲げ、対角部分で貼り合わせ、底板７同士を噛み合わせて、底壁２を形成する。
【００４４】
また、仕切のブランクにおいて、一対の中仕切板３１を重なり合うように折り曲げ、内底板３２を水平方向へ、内側板３３を上方へ順次折り曲げ、折曲片３４を上方へ折り曲げた状態とする。
【００４５】
そして、図９に示すように、仕切を本体に挿入し、内底板３２を底壁２の上面に載せると共に、一対の内側板３３をそれぞれ側板４ａ，４ｂの内面に沿わせ、底壁２を底にした正立状態で、３缶ずつ積み重ねてシュリンクフィルムで包装された商品Ｃを、中仕切板３１の両側方に並べて収納する。このとき、押圧片３５を内側へ折り込んでおく。
【００４６】
その後、蓋受片１０，１１を内側へ折り曲げ、ストッパ片１１ａを下方へ折り曲げて、側板４ａ，４ｂと内側板３３の間に差し込み、蓋板８を閉じて蓋受片１０，１１に重ね、側板４ｃを側板４ｂの外面に重ねて、差込片２７を差込穴２８に差し込むことにより、包装状態で封緘する。
【００４７】
このように商品Ｃを包装した箱を小売店へ配送し、店頭で商品Ｃを陳列する際には、図１０に示すように、側板３ｂが底となるように横倒し状態にして、切目線１４を切断し、可除部１５を切り取ると共に、切目線１８を切断し、切抜部１９を切り取る。
【００４８】
この可除部１５の切り取りに伴い、図１１及び図１２に示すように、蓋受片１１が側板３ｂに繋がった状態で揺動自在に残存し、蓋受片１１を手前に開くと、ストッパ片１１ａが蓋板８の内面に当接して、蓋受片１１が斜めに保持され、商品Ｃが１列のみ通過可能な取出口２５が開口し、また、切抜部１９の切り取りに伴い、窓部２４が開口する。
【００４９】
そして、切抜部１９を折目線に沿って二つ折りにして、底面の側板３ｂの後部下方に敷き、差込片２９を差込穴３０に差し込むと、箱は上方へかけて少し前傾する。
【００５０】
このような状態で商品Ｃを陳列すると、取出口２５から商品Ｃを一列ずつ取り出すことができ、商品Ｃの取り出しに伴い、後列及び上段の商品Ｃが押圧片３５により前方へ押され、箱の前傾により前方へ転動して、順次取出口２５へ供給される。
【００５１】
このとき、蓋受片１１が斜め上方へ向けて保持されているので、商品Ｃが転がり出すことがない。また、箱を載置する棚にこぼれ止め用の柵があっても、蓋受片１１をガイドとして商品Ｃを容易に取り出すことができる。
【００５２】
また、取り出した商品Ｃを、窓部２４を介して箱内に戻すことができ、商品Ｃの残数が少なくなったとき、商品Ｃを窓部２４を介して補充することもできる。
【００５３】
そのほか、この定量取出箱は、商品Ｃを取り出す際に、遊び感覚があるので、消費者の興味を惹きつけることができ、販売促進効果を期待することができる。
【符号の説明】
【００５４】
１  周壁
２  底壁
３ａ，３ｂ，４ａ，４ｂ，４ｃ  側板
５  継代片
６，７  底板
８  蓋板
９，１０，１１  蓋受片
１１ａ  ストッパ片
１２  差込片
１３  差込スリット
１４  切目線
１５  可除部
１６  切目線
１７  押込部
１８  切目線
１９  切抜部
２０  押込部
２１，２２  切目線
２３  折込片
２４  窓部
２５  取出口
２６  指入部
２７  差込片
２８  差込穴
２９  差込片
３０  差込穴
３１  中仕切板
３２  内底板
３３  内側板
３４  折曲片
３５  押圧片
３６  指掛穴
Ｂ，Ｃ  商品
【図１】
2011219169.tif 000003
【図２】
2011219169.tif 000004
【図３】
2011219169.tif 000005
【図４】
2011219169.tif 000006
【図５】
2011219169.tif 000007
【図６】
2011219169.tif 000008
【図７】
2011219169.tif 000009
【図８】
2011219169.tif 000010
【図９】
2011219169.tif 000011
【図１０】
2011219169.tif 000012
【図１１】
2011219169.tif 000013
【図１２】
2011219169.tif 000014
【図１３】
2011219169.tif 000015
【図１４】
2011219169.tif 000016
【図１５】
2011219169.tif 000017